(57)【特許請求の範囲】
【請求項１】
網を吊り下げて網に物品を掛けて置くハンガーネットにおいて、
網は、繊維紐又は繊維糸を網状に配列してそれらの交差部を結合した繊維網にし、折り曲げ、折り畳みや湾曲を可能にし、
繊維網にその上端に沿って横棒を取り付け、横棒に繊維網を吊り下げ、横棒を壁面に取り付け可能にし、
繊維網の目に釣り鉤を介して又は介せずに物品を掛ける構成にし、
横棒は、複数本に分割可能にし、
保管時や輸送時には、横棒は分割し、横棒の分割した位置で横棒と繊維網を折り曲げて折り畳む、又は、横棒は、繊維網から抜き取り、分割して束ね、繊維網は折り畳む構成にしていることを特徴とするハンガーネット。
【請求項２】
横棒は分割し、横棒の分割した位置で横棒と繊維網を壁面の入隅部又は出隅部に合わせて折り曲げ可能にして、壁面の入隅部又は出隅部に取り付け可能にしていることを特徴とする請求項１に記載のハンガーネット。
【発明の詳細な説明】
【技術分野】
【０００１】
本発明は、各種の物品を掛けて置くハンガーネットに関する。
【背景技術】
【０００２】
ハンガーネットは、針金の枠の内側に多数の針金を縦横に配列して網に構成している。この金網のハンガーネットは、家庭や店舗の壁面に取り付けられる。そして、網目には、釣り鉤を引っ掛け、釣り鉤に物品を引っ掛ける。又は、釣り鉤を介せず、直接、物品を引っ掛ける。ハンガーネットは、家庭や店舗において、小物の日用品や台所用品、小物の商品のような各種の物品を掛けて置く。この種のハンガーネットは、特許文献１に例示される。
【０００３】
ハンガーを兼ねた室内装飾品が特許文献２に開示されている。これは、多数の布の帯を縦横に配列して網状に編み合わせている。多数の縦帯と横帯の交差部は、それぞれ、左右の両側を糸で縫って筒部を設けている。各縦帯は、それぞれ、上端に環部を設け、環部に竿を横方向に貫通している。また、下端には、重りの金属環を取り付けている。この室内装飾品は、竿で吊り下げられる。そして、交差部の筒部には、釣り鉤、花びんや万年筆などを差し込む。
【０００４】
【特許文献１】実開昭６０−１０９４７０号公報
【特許文献２】実開昭５２−１０９０９０号公報
【発明の開示】
【発明が解決しようとする課題】
【０００５】
［背景技術の課題］
金網のハンガーネットは、折り畳むことができず、軽量ではない。保管や輸送には、便利ではない。また、ハンガーネットの金網ないし針金は、家庭や店舗の室内では、見た目がやさしくない。更に、金網のハンガーネットは、人力で折り曲げられず、家庭や店舗の壁面の入隅部や出隅部には取り付けることができない。
【０００６】
上記のハンガー兼用の室内装飾品は、手芸品であり、製作に多くの手間が掛かる。工業的に量産し難い。高価になる。また、この室内装飾品は、上端の竿が折り曲げられず、壁面の入隅部や出隅部には取り付けることができない。
【０００７】
［課題を解決するための着想］
ゴルフ練習場では、ゴルフボールの飛行を規制するため、繊維紐又は繊維糸の網が使用されている。この繊維網は、金網とは異なり、人力で容易に折り曲げたり、折り畳んだり、湾曲したりすることができる。また、軽量であり、見た目がやさしい。ゴルフボール用の繊維網は、工業的に量産されている。高価ではない。
【０００８】
そこで、ハンガーネットにおいて、金網に替えて、繊維網を用いることにした。また、針金の枠に替えて、繊維網を吊り下げる横棒を用いることにした。更に、横棒は、複数本に分割可能にすることにした。保管時や輸送時には、横棒は、分割して短くする。壁面の入隅部や出隅部に取り付けるときには、横棒を分割し、横棒の分割位置で、横棒と繊維網は、壁面の入隅部や出隅部に合わせて折り曲げる。
【課題を解決するための手段】
【０００９】
１）網を吊り下げて網に物品を掛けて置くハンガーネットにおいて、
網は、繊維紐又は繊維糸を網状に配列してそれらの交差部を結合した繊維網にし、折り曲げ、折り畳みや湾曲を可能にし、
繊維網にその上端に沿って横棒を取り付け、横棒に繊維網を吊り下げ、横棒を壁面に取り付け可能にし、
繊維網の目に釣り鉤を介して又は介せずに物品を掛ける構成にし、
横棒は、複数本に分割可能にし、
保管時や輸送時には、横棒は分割し、横棒の分割した位置で横棒と繊維網を折り曲げて折り畳む、又は、横棒は、繊維網から抜き取り、分割して束ね、繊維網は折り畳む構成にしていることを特徴とするハンガーネット。
２）上記のハンガーネットにおいて、
横棒は分割し、横棒の分割した位置で横棒と繊維網を壁面の入隅部又は出隅部に合わせて折り曲げ可能にして、壁面の入隅部又は出隅部に取り付け可能にしていることを特徴とする。
【発明の効果】
【００１０】
ハンガーネットにおいて、網は、繊維網である。見た目がやさしい。折り曲げ、折り畳みや湾曲が可能で、軽量である。保管や輸送に便利である。
【００１１】
また、横棒は、複数本に分割可能である。保管や輸送に便利である。横棒と繊維網は、壁面の入隅部又は出隅部に合わせて折り曲げ可能である。家庭や店舗などの壁面の入隅部又は出隅部に取り付けることができる。
【発明を実施するための最良の形態】
【００１２】
実施形態のハンガーネットは、図１と図２に示すように、網１、上側の横棒６と下側の横棒６、及び、吊り紐１１を有している。
【００１３】
網１は、化学繊維の紐２を縦横に配列し縦紐と横紐の交差部を溶着して結合している。化学繊維紐の網、繊維網にしている。この網１は、網目を方形状にし、外周形状を方形状にしている。化学繊維の紐２は、ポリアミド系合成繊維の糸を撚り合わせて構成している。繊維網１は、平面状であり、折り曲げ、折り畳みや湾曲が人力で可能であり、容易である。また、見た目がやさしい。軽量である。この網１は、工業的に量産されているゴルフボール用の繊維網を転用している。
【００１４】
繊維網１は、上端に沿って上側の横棒６を、下端に沿って下側の横棒６を取り付けている。上側の横棒６は、網１の最上段の網目を縫って左右方向に貫通している。下側の横棒６は、網１の最下段の網目を縫って左右方向に貫通している。上側の横棒６と網１の最上段の網目には、左側、中央と右側の３個所に亘って吊り紐１１を取り付けている。吊り紐１１は、化学繊維、天然繊維又は合成樹脂の紐にしている。
【００１５】
吊り紐１１は、家庭や店舗などの壁面ｗに突出している掛け具ｈに掛けると、吊り紐１１に上側の横棒６が吊り下がり、上側の横棒６に網１が吊り下がる。網１は、自重で垂れ下がり、下側の横棒６の重さで下側に引っ張られる。
【００１６】
上側の横棒６と下側の横棒６は、同一の構造にしている。横棒６は、金属又は合成樹脂の円筒にし、網１の左右方向の長さより少し長くし、３本に分割可能にしている。左側の横棒６ａと中央の横棒６ｂの間、中央の横棒６ｂと右側の横棒６ｃの間には、それぞれ、連結子７を介在している。連結子７は、図３に示すように、合成樹脂の円筒形状にし、左側部の外周と右側部の外周にそれぞれ横棒６ａ、６ｂ、６ｃの分割端部を嵌め込み、中央の大径部にそれぞれ横棒６ａ、６ｂ、６ｃの分割端面を押し付けている。横棒６は、２本又は３本に分割するときには、分割位置の連結子７の片側又は両側に嵌合している横棒６ａ、６ｂ、６ｃを抜き取る。逆に、連結するときには、連結子７に横棒６ａ、６ｂ、６ｃを嵌め込む。
【００１７】
このハンガーネットは、図１と図２に示すように、家庭や店舗などの壁面ｗの平面部に突出している掛け具ｈに吊り紐１１を掛け、壁面ｗの平面部に取り付ける。網１は、壁面ｗの平面部に沿って平面状になる。壁面ｗの平面部に吊り下がった網１は、網目に物品を引っ掛ける。又は、網目には、釣り鉤を引っ掛け、釣り鉤に物品を引っ掛ける。網１の目には、物品を掛けて置く。
【００１８】
また、ハンガーネットは、図４に示すように、壁面ｗの入隅部に取り付ける。この取り付け例では、上側の横棒６と下側の横棒６は、それぞれ、中央の横棒６ｂと右側の横棒６ｃの間で分割して２本にする。そして、その分割位置で、上側の横棒６と下側の横棒６及び網１を、折り曲げる。吊り紐１１は、壁面ｗの入隅部に突出している掛け具に掛ける。上側の横棒６と下側の横棒６及び網１は、壁面ｗの入隅部に合わせて２つ折り状になる。網１は、左側部と中央部が入隅部の左側の面に沿って平面状になり、右側部が入隅部の右側の面に沿って平面状になる。壁面ｗの入隅部に吊り下がった網１は、左側部と中央部の網目に、また、右側部の網目に、それぞれ、物品を引っ掛ける。又は、釣り鉤を介して物品を引っ掛ける。網１の左側部と中央部の網目と右側部の網目には、それぞれ、物品を掛けて置く。
【００１９】
更に、ハンガーネットは、図５に示すように、壁面ｗの出隅部に取り付ける。この取り付け例では、上側の横棒６と下側の横棒６は、それぞれ、左側の横棒６ａと中央の横棒６ｂの間で分割して２本にする。そして、その分割位置で、上側の横棒６と下側の横棒６及び網１を、折り曲げる。吊り紐１１は、壁面ｗの出隅部に突出している掛け具に掛ける。上側の横棒６と下側の横棒６及び網１は、壁面ｗの出隅部に合わせて２つ折り状になる。網１は、左側部が出隅部の左側の面に沿って平面状になり、中央部と右側部が出隅部の右側の面に沿って平面状になる。壁面ｗの出隅部に吊り下がった網１は、左側部の網目に、また、中央部と右側部の網目に、それぞれ、物品を引っ掛ける。又は、釣り鉤を介して物品を引っ掛ける。網１の左側部の網目と中央部と右側部の網目には、それぞれ、物品を掛けて置く。
【００２０】
また、ハンガーネットは、図６に示すように、壁面ｗの隣接した入隅部と出隅部に取り付ける。この取り付け例では、上側の横棒６と下側の横棒６は、それぞれ、左側の横棒６ａと中央の横棒６ｂの間、中央の横棒６ｂと右側の横棒６ｃの間で分割して３本にする。そして、その２個所の分割位置で、それぞれ、上側の横棒６と下側の横棒６及び網１を、折り曲げる。吊り紐１１は、壁面ｗの入隅部と出隅部に突出している掛け具に掛ける。上側の横棒６と下側の横棒６及び網１は、壁面ｗの入隅部と出隅部に合わせて３つ折り状になる。網１は、左側部が入隅部の左側の面に沿って平面状になり、中央部が入隅部の右側の面、出隅部の左側の面に沿って平面状になり、右側部が出隅部の右側の面に沿って平面状になる。壁面ｗの入隅部と出隅部に吊り下がった網１は、左側部の網目に、中央部の網目に、また、右側部の網目に、それぞれ、釣り鉤を介して又は介せずに物品を引っ掛ける。網１の左側部の網目、中央部の網目と右側部の網目には、それぞれ、物品を掛けて置く。
【００２１】
このハンガーネットは、保管時や輸送時には、上側の横棒６と下側の横棒６は、それぞれ、３本に分割する。上側の横棒６と下側の横棒６及び網１は、横棒６の２個所の分割位置で折り曲げ、３つ折りに折り畳む。上側の横棒６と下側の横棒６は、それぞれ、３本が重なり、束状になる。折り畳んだ網１は、下側の横棒６の３本の束に巻き付ける。吊り紐１１は、下側の横棒６の束に巻き付けた網１に巻き付ける。嵩張らない。
【００２２】
又は、上側の横棒６と下側の横棒６は、それぞれ、網１から抜き取り、３本に分割する。そして、合計６本の横棒６ａ、６ｂ、６ｃは、束ねる。吊り紐１１付の網１は、小さく折り畳む。嵩張らない。
【００２３】
［変形例］
１）上記の実施形態において、上側の横棒６ないし網１の上端は、壁面ｗの掛け具ｈに取り付けるに当り、吊り紐１１を介するが、吊り紐１１を介しない。上側の横棒６ないし網１の上端は、直接、掛け具ｈ又は壁面ｗに取り付ける。
２）上記の実施形態において、横棒６は、分割可能本数が３本であるが、２本又は４本にする。
３）上記の実施形態において、横棒６は、筒にし、分割部に連結子７を介在しているが、連結子７を介在しない。横棒６ａ、６ｂ、６ｃは、一端に凸部を、他端に凹部を形成し、凸部と凹部の一方を他方に嵌め込む。分割時には、凸部と凹部の一方を他方から抜き出す。
４）上記の実施形態において、網１は、下端に下側の横棒６を取り付けているが、取り付けない。下側の横棒６は、用いない。
【図面の簡単な説明】
【００２４】
【図１】本発明の実施形態におけるハンガーネットの正面図。
【図２】同ハンガーネットの側面図。
【図３】同ハンガーネットの横棒の分割部の拡大縦断面で、（ａ）は連結状態を、（ｂ）は分割状態を示す図。
【図４】同ハンガーネットを壁面の入隅部に取り付けた状態を示す平面図。
【図５】同ハンガーネットを壁面の出隅部に取り付けた状態を示す平面図。
【図６】同ハンガーネットを壁面の入隅部と出隅部に取り付けた状態を示す平面図。
【符号の説明】
【００２５】
１  網、繊維網、化学繊維紐の網
２  化学繊維の紐
６  横棒、上側の横棒、下側の横棒、金属又は合成樹脂の円筒
６ａ  左側の横棒
６ｂ  中央の横棒
６ｃ  右側の横棒
７  連結子
１１  吊り紐
ｗ  壁面
ｈ  掛け具
【図１】
0005284608.tif 000002
【図２】
0005284608.tif 000003
【図３】
0005284608.tif 000004
【図４】
0005284608.tif 000005
【図５】
0005284608.tif 000006
【図６】
0005284608.tif 000007